(57)【特許請求の範囲】
【請求項１】
表示器と、指標部を有し前記表示器の周囲を取り囲むと共に前記表示器を視認可能なように配置される表示板と、前記表示器の裏面側に設けられた駆動装置と、複数の屈曲部を有し前記駆動装置の回転軸に連結され前記表示器の周囲へ迂回して前記指標部を指示する指針を備えた指針式計器装置において、
前記指針は、複数の屈曲部を有した導光部材と、前記導光部材に対応した遮光部材とから構成され、前記導光部材は、複数の突出部を有し、前記突出部の少なくとも１つが保持部からなり、前記遮光部材は、前記突出部と対応するように成形された複数の係合部を有し、前記係合部の少なくとも1つが前記保持部よりも僅かに大きい穴部からなり、前記遮光部材が前記保持部と前記穴部を支点として回動可能に設けられていることを特徴とする指針式計器装置。
【請求項２】
前記保持部は、前記導光部材の長手方向に形成されるアーム部の垂直方向に屈曲した屈曲部近傍に設けられていることを特徴とする請求項１に記載の指針式計器装置。
【請求項３】
前記穴部は、前記遮光部材の一端側に設けられ、他の前記係合部は、他端側に設けられていることを特徴とする請求項１に記載の指針式計器装置。
【請求項４】
前記遮光部材は、前記穴部と複数の係合部を有する第１の遮光部材と、前記穴部以外の複数の係合部を有する第２の遮光部材と、を備え、前記導光部材に前記第２の遮光部材が保持された状態で、前記第１の遮光部材の前記穴部は前記保持部に係合されることを特徴とする請求項１に記載の指針式計器装置。
【請求項５】
請求項１記載の指針式計器装置における指針の組み付け方法において、前記導光部材の前記保持部に前記遮光部材の穴部を係合させて、前記保持部と前記穴部を支点として前記遮光部材を前記導光部材に対して回動可能に保持させる第１の工程と、前記支点を軸にして前記保持部と前記穴部とを保持させた状態のまま前記遮光部材を前記導光部材に対して回動移動させて、前記遮光部材の前記穴部以外の係合部と前記導光部材の前記保持部以外の突出部とを係合させる第２の工程とからなる、指針式計器装置の組み付け方法。
【発明の詳細な説明】
【技術分野】
【０００１】
本発明は、自動車、オートバイ、船舶などの移動体に搭載される指針式計器に関し、例えば、表示器の外縁部上またはその外側を指針が軸回り回動するタイプの指針式計器装置とその組み付け方法に好適である。
【背景技術】
【０００２】
従来の指針式計器装置は、特許文献１に開示されているように、液晶表示器からなる表示器と、目盛や文字等の指標部を有し表示器の周囲を取り巻くと共に該表示器を視認可能な窓部が形成された表示板と、表示器の背後に配置され回転軸が表示器側に突出する駆動装置と、回転軸に連結されて表示器と表示板の双方を迂回するように略「Ｓ」字状に屈曲して延び駆動装置により回転軸を回転中心として旋回駆動されることにより指標部を指示する指針とを備えるものであった。
【０００３】
このような指針を発光させる場合、指針本体部分を透光性部材から形成し、透明部材からなる導光部材の発光部分以外を遮光する必要があり、導光部材にカバーなどの遮光部材を装着して光漏れを防ぐ方法が考えられる。
【先行技術文献】
【特許文献】
【０００４】
【特許文献１】特開２００８―３２４５５号公報
【発明の概要】
【発明が解決しようとする課題】
【０００５】
しかしながら、Ｓ字状のように複数箇所で屈折している導光部材に別部品を装着するには、複数のフックを用いて組み付ける必要があり、組み付けの工程が複雑になってしまうという問題点があり改良の余地があった。
【課題を解決するための手段】
【０００６】
そこで本発明は、表示器と、指標部を有し前記表示器の周囲を取り囲むと共に前記表示器を視認可能なように配置される表示板と、前記表示器の裏面側に設けられた駆動装置と、複数の屈曲部を有し前記駆動装置の回転軸に連結され前記表示器の周囲へ迂回して前記指標部を指示する指針を備えた指針式計器装置とその組み付け方法において、
前記指針は、複数の屈曲部を有した導光部材と、前記導光部材に対応した遮光部材とから構成され、前記導光部材は、複数の突出部を有し、前記突出部の少なくとも１つが保持部からなり、前記遮光部材は、前記突出部と対応するように成形された複数の係合部を有し、前記係合部の少なくとも1つが前記保持部よりも僅かに大きい穴部からなり、前記遮光部材が前記保持部と前記穴部を支点として回動可能に設けられているものである。
【０００７】
このように構成することによって、複数のフックを備えていても支点を軸に上下に回動移動させることで係合することができるので、組み付け性が向上する。
【０００８】
また本発明は、前記保持部は、前記導光部材の長手方向に形成されるアーム部の垂直方向に屈曲した屈曲部近傍に設けられているものである。
【０００９】
また本発明は、前記穴部は、前記遮光部材の一端側に設けられ、他の前記係合部は、前記遮光部材の他端側に設けられているものである。
【００１０】
また本発明は、前記遮光部材は、前記穴部と複数の係合部を有する第１の遮光部材と、前記穴部以外の複数の係合部を有する第２の遮光部材とを備え、前記導光部材に前記第２の遮光部材が保持された状態で、前記第１の遮光部材の前記穴部は前記保持部に係合されるものである。
【００１１】
また本発明は、請求項１記載の指針式計器装置における指針の組み付け方法において、前記導光部材の前記保持部に前記遮光部材の穴部を係合させて、前記保持部と前記穴部とを支点として前記遮光部材を前記導光部材に対して回動可能に保持させる第１の工程と、前記支点を軸にして前記保持部と前記穴部とを保持させた状態のまま前記遮光部材を前記導光部材に対して回動移動させて、前記遮光部材の前記穴部以外の係合部と前記導光部材の前記保持部以外の突出部とを係合させる第２の工程とからなるものである。
【発明の効果】
【００１２】
本発明によれば、複数のフックを備えていても単純な工程で組み付け可能な指針とその組付け方法を提供することができる。
【図面の簡単な説明】
【００１３】
【図１】本発明における第１の実施形態を示す指針式計器装置の正面図。
【図２】同上のＡ−Ａ断面図。
【図３】同上の指針斜視図。
【図４】同上の指針分解斜視図。
【図５】同上の指針正面図。
【図６】（ａ）〜（ｃ）は同上の組み付け方法を示した図。
【発明を実施するための形態】
【００１４】
以下、本発明の実施形態に係る指針式計器装置を添付の図面を参照して具体的に説明する。
【００１５】
指針式計器装置は、図１及び図２に示すように、表示器１と、表示板２と、回転軸４１を回転中心として指標部２１を指示する指針３と、表示器１の表示面１１の後方側（表示方向と反対側）に配置され、指針３を回転させる駆動装置４と、指針３を照明する光源５を備える。
【００１６】
表示器１は、例えば液晶表示器からなり、図２における上面に表示面１１を有する。図示せぬ制御部によって、表示面１１に図形、表、数値等が表示される。
【００１７】
表示板２は、複数の指標２１を有し、更に表示器１の表示面１１を視認可能とするように開口部２２を有し、表示器１の周囲を取り巻く位置に配置されている。
【００１８】
駆動装置４は、ステッピングモータ等から構成され、図示せぬ制御部の指示に応じて回転軸４１を回転させることで指針３を回転させる。
【００１９】
指針３は、図２に示すように、表示器１の後方側から側方を通って前方側に延出し、回転中心方向に折れ曲げられ、更に、表示板２の開口部２１を通って表示板２の上方に延出し、更に反回転中心方向に折り曲げられている。ここで本実施形態中では、回転中心方向とは、前方側から見て回転軸４１に向かう方向とし、反回転中心方向とは、その逆方向とする。
【００２０】
また指針３は、図３に示すように、表示器１を避けるように迂回した形状を有する導光部材３０と、アーム部３１の形状に沿うようにアーム部３１の反回転中心方向側に係合される第１のカバー部３２１と、アーム部３１の回転中心方向側に装着される第２のカバー部３２２とからなる遮光部材３２と、Ｌ字型に屈曲して形成され、表示板２の前方側を反回転中心方向に延び、後述する連結部に連結され、指標２１を指示する指示部３３と、を備える。
【００２１】
アーム部３１は、回転軸４１に固定され反回転中心方向に延びて形成される第１のアーム３１１部と、第１のアーム部３１１とは第１の屈曲部３５を挟んで前方側に延びて形成される第２のアーム部３１２とを有し、第１の突出部３１ａは、第１の屈曲部３５の近傍に設けられる。
【００２２】
：曲面Ｒ
アーム部３１は、例えばポリカーボネートやアクリルなどの透過性合成樹脂から形成され、一端に、駆動装置４に接続された回転軸４１に挿通、固定される軸孔４１１を有し、更にその端部側に、突起４１２が上面に形成された薄肉部からなり、重りＡを載置する載置部４１３を有する。載置部４１３の突起４１２に嵌合して取り付けられた重りＡによって、回転軸４１を中心とした指針３の重量バランスが平衡に保たれる。
【００２３】
また、アーム部３１は、図５に示すように、表示器１の後方側から第１のアーム部３１１の向かい合った側面及び上面の形状が曲面Ｒとなって先細りするように形成され、第１の屈曲部３５を境目にして表示器１の側方を通って前方側に延出し、回転中心方向に折れ曲げられ（第２の屈曲部３６）、更に、表示板２の開口部２２を通って表示板２の上方に延出する（第３の屈曲部３７）。アーム部３１は、その端部に指示部３３が反回転中心方向に延出するように組み付けされるための連結部３４を一体的に有する。従って、前記第１のアーム部３１１の側面を曲面状にすることによって、アーム部３１の断面積が急激に変化 (大から小)しないため、導光部材３０に入射した光を効率よく指示部へ導光でき、効率よく指針３の先端側へ導光することができる。
【００２４】
特に、導光部材３０の軸孔４１１近傍の入光面積を広く取り、光源からの光の量を確保し、軸孔４１１近傍から連続されたＲ形状をなす先細り形状によって、光の反射角度を除々に広げていくことができることから、その反射光が長手方向に導光され、第１の屈曲部３５へ効率的に導光することができる。
なお、導光部材３０の導光距離が長い、略コの字、略Ｓ字の指針であっても、導光部材３０の曲面Ｒで光線の方向を調整し、指示部３３への光の到達量を増やし、導光効率を良好なものにすることができる。
【００２５】
なお、突出部３１ａから３１ｅと、係合部３２ａから３２ｅとは、両側面側に一対に設けられる。
【００２６】
図４に示すように、アーム部３１は、第１の屈曲部３５近傍に突出成型された第１の突出部３１ａ（保持部）を有し、後述する係合部に係合されることで第２のアーム部３１２と第１のカバー３２１を組み付け保持する支点Ｓ（図３参照）となる。また、第１の突出部３１ａは、支点Ｓとして第１のカバー３２１を回転可能なように保持する為のものであり、円形に突出した形状（円柱状）が好ましい。なお、支点Ｓで第１のカバー３２１が回転可能であれば、円形でなく半円形に突出するものであってもよい。
【００２７】
また、第２のアーム部３１２には、第２のカバー３２２を係合させるための第２、３の突出部３１ｂ、３１ｃが設けられ、第２のカバー３２２には第２、３の突出部３１ｂ、３１ｃと対応した箇所に第２、３の係合部３２ｂ、３２ｃが設けられている。第２のカバー３２２の指示部３３側端部には、第１のカバー３２１を組み付け保持する際に係合される第４の突出部３１ｄが設けられている。
【００２８】
第１のカバー３２２は、遮光性を有し、導光部材３０よりも弾性や曲がり強度の高い合成樹脂が好適であり、例えばＡＢＳ樹脂等から形成され、更に、第１の突出部３１ａに組み付ける際に変形できるように弾性を有する程度の厚み（例えば、約１ｍｍ）に形成されている。また、第１のカバー３２２は、第１の突出部３１ａの径よりもわずかに大きい円径からなる第１の係合部３２ａ（穴部）と、第４の突出部３１ｄと係合する第４の係合部３２ｄと、指示部３３が組み付け保持される第５の突出部３１ｅとが設けられている。
【００２９】
指示部３３は、例えば光透過性の合成樹脂からなり裏面にホットスタンプ層が形成された発光部３３１を収納し、光源５からの光が視認されるように透視窓３３２が設けられている。指示部３３は、第５の突出部３１ｅが係合される第５の係合部３２ｅを有し、アーム部３１の連結部３４に組み付け保持される。
【００３０】
以下に、アーム部３１と遮光部材３２と指示部３３との組付け方法を説明する。
【００３１】
図６（ａ）に示すように、第２のカバー３２２と第２のアーム部３１２において、第２のカバー３２２の第２，３の係合部３２ｂ、３２ｃと第２のアーム部３１２に設けられた第２，３の突出部３１ｂ、３１ｃとを係合させて組み付け保持する。
【００３２】
図６（ｂ）に示すように、第１のカバー３２１と第２のアーム部３１２において、第１の突出部３１ａと第１の係合部３２ａを組み付けた後、その係合部分を支点Ｓとして第１のカバー３２１を回転させながら、第２のカバー３２２に設けられた第４の突出部３１ｄと対応するように成形された第４の係合部３２ｄを係合する。従って、支点Ｓを軸に単純な回動移動のみで複数のフックを一度に係合することが可能となり、組み付け性が向上する。
【００３３】
図６（ｃ）に示すように、第１のカバー３２１と指示部３３において、第１のカバー３２１に設けられた第５の突出部３１ｅと指示部３３に設けられた第５の係合部３２ｅとを係合させて組付けが完了する。
【００３４】
光源５から出射される光は、第１のアーム部３１ａの一端に入射し、湾曲した側面によってコ字状に形成された第２のアーム部３１ｂ内を導光され、指示部３３の発光部３３１から外部へ出射する。このように発光部３３１から出射する光によって、表示器１の前方から見た場合に指針３が光って見え、これによって、指針３の視認性が良好になる。
【００３５】
このように、本発明は、表示器１と、指標部２１を有し表示器１の周囲を取り囲むと共に表示器１を視認可能なように配置される表示板２と、表示器１の裏面側に設けられた駆動装置４と、複数の屈曲部を有し駆動装置４の回転軸４１に連結され表示器１の周囲へ迂回して指標部２１を指示する指針３を備えた指針式計器装置において、指針３は、複数の屈曲部を有したアーム部３１（導光部材）と、アーム部３１に対応した遮光部材３２とから構成され、アーム部３１は、複数の突出部を有し、突出部の少なくとも１つが第１の突出部３１ａ（保持部）からなり、遮光部材３２は、突出部と対応するように成形された複数の係合部を有し、係合部の少なくとも1つが第１の突出部３１ａよりも僅かに大きい第１の係合部３２ａ（穴部）からなり、遮光部材３２が第１の突出部３１ａと第１の係合部３２ａを支点Ｓとして回動可能に設けられていることによって、支点Ｓを軸に単純な回動移動のみで複数のフックを一度に係合することが可能となり、組み付け性が向上する。
【００３６】
また、本発明は、第１の突出部３１ａ（保持部）は、導光部材３０の長手方向に形成されるアーム部３１の垂直方向に屈曲した第１の屈曲部３５近傍に設けられることによって、支点Ｓを軸に単純な回動移動のみで複数のフックを一度に係合することが可能となり、組み付け性が向上する。
【００３７】
また、本発明は、第１の係合部３２ａは、遮光部材３２の一端側に設けられ、他の係合部は他端側に設けられることによって、支点Ｓを軸に単純な回動移動のみで複数のフックを一度に係合することが可能となり、組み付け性が向上する。
【００３８】
また、本発明は、遮光部材３２は、第１のカバー３２１と第２のカバー３２２とを備え、第１の係合部３２ａは、第２のカバー３２２を介して第１の係合部３２ａに係合されることによって、支点Ｓを軸に単純な回動移動のみで複数のフックを一度に係合することが可能となり、組み付け性が向上する。
【００３９】
なお、アーム部３１の側面及び上面を曲面とした実施例を示したが、導光効率が向上するならば、下面を含む複数面を曲面としてもよい。
【００４０】
また、第２のカバー３２２は別部品を用いた実施例を示したが、第２のカバー３２２の代わりに黒色のホットスタンプなどの印刷を施して遮光してもよい。
【符号の説明】
【００４１】
１      表示器
２      表示板
３      指針
４      駆動装置
５      光源
６      回路基板
１１    表示面
２１    指標部
２２    開口部
３０    導光部材
３１    アーム部
３１ａ  第１の突出部（保持部）
３１ｂ  第２の突出部
３１ｃ  第３の突出部
３１ｄ  第４の突出部
３１ｅ  第５の突出部
３２    カバー（遮光部材）
３２ａ  第１の係合部（穴部）
３２ｂ  第２の係合部
３２ｃ  第３の係合部
３２ｄ  第４の係合部
３２ｅ  第５の係合部
３３    指示部
３４    連結部
３５    第１の屈曲部
３６    第２の屈曲部
３７    第３の屈曲部  
４１    回転軸
３１１  第１のアーム部
３１２  第２のアーム部
３２１  第１のカバー
３２２  第２のカバー
３３１  発光部
３３２  透視窓
４１１  軸孔
４１２  突起
４１３  載置部
Ａ      重り
Ｓ      支点
【図１】
0005614722.tif 000002
【図２】
0005614722.tif 000003
【図３】
0005614722.tif 000004
【図４】
0005614722.tif 000005
【図５】
0005614722.tif 000006
【図６】
0005614722.tif 000007